(57)【要約】      （修正有）【課題】手術中に外回りの看護師がコンピュータでオーダリング又は電子カルテに記録作業をするための作業用テーブルであって、そのテーブルでの作業と並行して術野状況を迅速に把握できるようにする。【解決手段】手術室の壁１２内に正面が開放されたキャビネット２０を設け、同キャビネット２０のコーナー部に横長のテーブル３０の短辺付近を枢支して室内側へ引き出し自在に収納する。看護師Ｈが引き出したテーブル３０の前に着座すると視界に術野が入る向きとなるから、看護師Ｈはオーダリング又は電子カルテに記録作業しながら、術野方向で何か変化が生じた場合は姿勢を変えずに視線を少し動かすだけで状況を迅速に把握できるようになる。【選択図】図３
0003144226.tif 000002
【実用新案登録請求の範囲】
【請求項１】
手術台を略中央位置に備えた手術室に設けられ、手術中に外回りの看護師がコンピュータでオーダリング又は電子カルテに記録作業するための作業用テーブルであって、手術室の壁内に正面が開放されたキャビネットを設け、同キャビネットのコーナー部に横長のテーブルの短辺付近を枢支して室内側へ引き出し自在に収納し、引き出したテーブルで作業する看護師の視界が術野を向くようにテーブルを配置できるようにしたことを特徴とする、手術室用収納式テーブル。
【請求項２】
テーブルを枢支する枢軸が、キャビネットの左右のコーナー部間の任意の位置に移設できる構造である、請求項１記載の手術室用収納式テーブル。
【請求項３】
キャビネットのコーナー部に伸縮自在の支持体を設け、同支持体にテーブルを枢支した、請求項１又は２記載の手術室用収納式テーブル。
【請求項４】
コンピュータのケーブルを配線するためのカバー付きのケーブルダクトをテーブルに設けた、請求項１〜３いずれか記載の手術室用収納式テーブル。
【請求項５】
コンピュータのケーブルを配線するためのケーブルダクトをテーブルの下方に設けた、請求項１〜３いずれか記載の手術室用収納式テーブル。
【請求項６】
テーブルの枢支側とは反対側の短辺付近を車輪付きの脚部材で支持した、請求項１〜５いずれか記載の手術室用収納式テーブル。
【請求項７】
脚部材がＬ字形又は二又の形状で、同脚部材をテーブルの下面に回転自在に枢支した、請求項６記載の手術室用収納式テーブル。
【請求項８】
テーブルに電源コンセント及び情報通信用端子を設けた、請求項１〜７いずれか記載の手術室用収納式テーブル。
【請求項９】
筆記用具を置くためのペン受けをテーブルの上面に凹設した、請求項１〜８いずれか記載の手術室用収納式テーブル。
【考案の詳細な説明】
【技術分野】
【０００１】
本考案は、医療施設の手術室において、手術中に外回りの看護師がコンピュータでオーダリング又は電子カルテに記録作業するための作業用テーブルに関する。
【背景技術】
【０００２】
従来、手術中は外回りの看護師が手術室に備えたテーブルでコンピュータを使用し、オーダリング又は電子カルテに記録作業している。また、これと並行して手術の進捗状況も把握するようにしている。この看護師が作業するテーブルは一般的に手術室の壁面に向けて設置されており、手術中は看護師が術野を背にした状態で作業している。
【０００３】
ところで、看護師が術野を背にした状態で記録作業している最中に、術野方向で何か変化が生じた場合（例えばスタッフの声・機器のアラーム音・物が落ちたときの音など）、看護師はその都度背後を振り向いて状況を把握しようとするが、迅速な把握が困難で、場合によっては気づかないことがあった。したがって、手術の安全な施行やチームワークが損なわれることがあり、大きな医療事故に繋がる恐れがあった。
【０００４】
一方、看護師が使用するコンピュータはテーブルの上面又は床面に置くか、あるいはカートに搭載してテーブルに近設している。しかし、カートに搭載した場合などはコンピュータの電源や通信用のケーブルが床面を這うことになるから、人が足を引っ掛けたりして危険であるとともに、ケーブルにホコリが溜まり易くなって手術室が不衛生となる問題もあった。
【特許文献１】実開平４−５８２０６号公報
【考案の開示】
【考案が解決しようとする課題】
【０００５】
本考案が解決しようとする第１の課題は、看護師がテーブルで作業中に術野状況を迅速に把握できるようにすることにある。また、第２の課題は、コンピュータのケーブルが床面を這わないように配線できるようにすることにある。
【課題を解決するための手段】
【０００６】
かかる課題を解決した本考案の構成は、
１）  手術台を略中央位置に備えた手術室に設けられ、手術中に外回りの看護師がコンピュータでオーダリング又は電子カルテに記録作業するための作業用テーブルであって、手術室の壁内に正面が開放されたキャビネットを設け、同キャビネットのコーナー部に横長のテーブルの短辺付近を枢支して室内側へ引き出し自在に収納し、引き出したテーブルで作業する看護師の視界が術野を向くようにテーブルを配置できるようにしたことを特徴とする、手術室用収納式テーブル
２）  テーブルを枢支する枢軸が、キャビネットの左右のコーナー部間の任意の位置に移設できる構造である、前記１）記載の手術室用収納式テーブル
３）  キャビネットのコーナー部に伸縮自在の支持体を設け、同支持体にテーブルを枢支した、前記１）又は２）記載の手術室用収納式テーブル
４）  コンピュータのケーブルを配線するためのカバー付きのケーブルダクトをテーブルに設けた、前記１）〜３）いずれか記載の手術室用収納式テーブル
５）  コンピュータのケーブルを配線するためのケーブルダクトをテーブルの下方に設けた、前記１）〜３）いずれか記載の手術室用収納式テーブル
６）  テーブルの枢支側とは反対側の短辺付近を車輪付きの脚部材で支持した、前記１）〜５）いずれか記載の手術室用収納式テーブル
７）  脚部材がＬ字形又は二又の形状で、同脚部材をテーブルの下面に回転自在に枢支した、前記６）記載の手術室用収納式テーブル
８）  テーブルに電源コンセント及び情報通信用端子を設けた、前記１）〜７）いずれか記載の手術室用収納式テーブル
９）  筆記用具を置くためのペン受けをテーブルの上面に凹設した、前記１）〜８）いずれか記載の手術室用収納式テーブル
にある。
【考案の効果】
【０００７】
本考案の請求項１記載の構成によれば、引き出したテーブルの前に看護師が着座すると視界に術野が入る向きとなるから、看護師はオーダリング又は電子カルテに記録作業しながら、術野方向で何か変化が生じた場合は姿勢を変えずに視線を少し動かすだけで状況を迅速に把握できる。また、テーブルの未使用時はキャビネットに収納できるから邪魔にならず、しかもキャビネットは正面が開放されているから、テーブルをキャビネットから引き出さずに使用することもできる。
【０００８】
また、本考案の請求項４，５記載の構成によれば、コンピュータのケーブルをテーブルに設けたケーブルダクト内に配線することで、ケーブルの途中部分が床面を這うことがなく、人が足を引っ掛ける危険が無くなり、ホコリも溜まることなく手術室の床面を衛生にできる。
【考案を実施するための最良の形態】
【０００９】
本考案では、テーブルを枢支する枢軸をキャビネットの左右のコーナー部間の任意の位置に移設できる構造とすると、引き出した状態のテーブルの位置を使いやすい位置及び向きに変更できる。また、キャビネットのコーナー部に備えた伸縮自在の支持体にテーブルを枢支すると、引き出した状態のテーブルをキャビネットから離れた位置に設置でき、引き出した状態のテーブルをより使い易い位置及び向きに変更できる。また、テーブルの枢支側とは反対側の短辺付近を車輪付きの脚部材で支持すると、支持が安定するとともに引き出し中又は収納中に移動が円滑になり、脚部材をＬ字形又は二又に形成し、同脚部材をテーブルの下面に回転自在に枢支すると、未使用時は脚部材の向きをテーブルと並行にすることで、室内側へ突出しないようにコンパクトに収納できる。また、テーブルに電源コンセント及び情報通信用端子を設けると、例えばコンピュータをキャビネットに配置できない場合などは、テーブル上に配置して直近で接続できて便利である。また、ペン受けをテーブルの上面に凹設すると、手元に筆記用具を置けて書類への記録時に便利で、未使用時も邪魔にならない。以下、本考案の実施例を図面に基づいて具体的に説明する。
【実施例１】
【００１０】
図１は実施例の手術室の平面図、図２は実施例のテーブルを収納した状態のキャビネットの正面図、図３は実施例のテーブルを引き出した状態のキャビネットの横断面図、図４は実施例のテーブルを収納した状態のキャビネットの縦断面図、図５は実施例のテーブルの縦断面図、図６，７は実施例の他の例のテーブルを引き出した状態のキャビネットの横断面図、図８は実施例の他の例のテーブルを収納した状態のキャビネットの正面図である。
【００１１】
図中、１０は手術室、１１は出入口、１２は壁、２０はキャビネット、２１は仕切り、２２は上部空間、２３は下部空間、２４は電源コンセント、２５はモジュラージャック（情報通信用端子）、３０はテーブル、３１は枢軸、３１ａは軸受、３１ｂは支持体、３２は脚部材、３２ａは枢軸、３３は車輪、３４はペン受け、３５はケーブルダクト、３５ａは取付具、３６はカバー、３７は椅子、４０は情報パネル、５０はコンピュータ、５１はディスプレイ装置、５１ａは電源ケーブル、５１ｂは通信ケーブル、５１ｃはディスプレイケーブル、５２はキーボード、５２ａはケーブル、５３はマウス、５３ａはケーブル、６０は手術台、Ｈは看護師である。
【００１２】
キャビネット２０は、手術室１０の出入口１１に対して左側手前のコーナー部の壁１２内に壁面から突出しないように取り付けている。キャビネット２０は正面が開放され、仕切り２１で上部空間２２と下部空間２３とに分割している。上部空間２２の奥部の壁面には電源コンセント２４と情報通信用のモジュラージャック２５を設けている。キャビネット２０の寸法は高さ２１３０ｍｍ程度、幅１２００ｍｍ程度、奥行き４００ｍｍ程度で、仕切り２１の高さは床面から９００ｍｍ程度である。
【００１３】
テーブル３０は横長の長方形状で、その左端手前部をキャビネット２０の仕切り２１の左端手前部に枢軸３１で枢支している。テーブル３０の背側右角は緩やかな円弧状に形成し、引き出し時及び収納時にキャビネット２０の内壁と接触しないようにしている。テーブル３０の右側下面には、２体の車輪３３を下端に備えた二又の脚部材３２を枢軸３２ａで枢支している。テーブル３０の上面には、脱着できるカバー３６を備えたケーブルダクト３５を取り付けている。カバー３６は、装着時にテーブル３０の上面と面一になるように形成されている。なお、本実施例ではケーブルダクト３５を上面の背部側に取り付けたが、中央部又は下面あるいはそれらを組み合わせて取り付けてもよいし、取り付けない場合もある。
【００１４】
テーブル３０の上面の右側手前位置には、筆記用具を置くための浅溝状のペン受け３４を凹設している。テーブル３０の寸法は、高さが９２０ｍｍ程度、幅１１００ｍｍ程度、奥行き５００ｍｍ程度、板厚２０〜２５ｍｍ程度である。情報パネル４０は、手術室１０の出入口１１に対して左側後方の壁１２に設置している。情報パネル４０には電話・インターホン・空調機の操作部を集合しており、引き出したテーブル３０の前に着座した看護師Ｈが右側背後へ振り向いたときに手の届く場所に位置している。
【００１５】
本実施例では、キャビネット２０の下部空間２３にコンピュータ５０を配置し、テーブル３０の上面にディスプレイ装置５１とキーボード５２とマウス５３を配置し、コンピュータ５０とディスプレイ装置５１の電源ケーブル５１ａを電源コンセント２４に接続するとともに、コンピュータ５０の通信ケーブル５１ｂをモジュラージャック２５に接続する。ディスプレイ装置５１の電源ケーブル５１ａとディスプレイケーブル５１ｃとキーボード５２のケーブル５２ａとマウス５３のケーブル５３ａはケーブルダクト３５内に配置してカバー３６で被覆する。テーブル３０の未使用時は、脚部材３２をテーブル３０と並行する向きに動かし、脚部材３２が室内側へ突出しないようにして収納する。
【００１６】
手術時は、テーブル３０を９０度回転させて引き出した後に脚部材３２をテーブル３０と直交する向きに動かすことで、テーブル３０が安定的に支持される。また、テーブル３０の引き出し中又は収納中も車輪３３で床面を走行するから、移動が円滑になる。この状態で看護師Ｈが椅子３７に着座すると視界に術野が入る向きとなり、オーダリング又は電子カルテに記録作業しながら、術野方向で何か変化が生じた場合は姿勢を変えずに視線を少し動かすだけで状況を迅速に把握でき、手術を安全に施行できるようになる。
【００１７】
また、キャビネット２０は正面が開放されているから、手術時以外のときに作業する場合は、収納した状態のテーブル３０の前に椅子３７を配置することで、キャビネット２０から引き出さずに使用することもできる。
【００１８】
図６に示すのは、テーブル３０の枢軸３１をキャビネット２０の左右のコーナー部間の任意の位置に移設できる構造にするとともに、電源コンセント２４とモジュラージャック２５をテーブル３０の上面に設けた実施例の他の例である。この例では、仕切り２１の前端部に横長の軸受３１ａを取り付け、その軸受３１ａにテーブル３０を枢軸３１でスライド自在に枢支し（スライド量は４００〜５００ｍｍ程度）、引き出した状態のテーブル３０を使いやすい位置及び向きに変更できるようにしている。コンピュータ５０の電源ケーブル５１ａが短い場合などは、このテーブル３０上の電源コンセント２４とモジュラージャック２５に接続する（ケーブル類の図示は省略している）。その他、符号、構成は実施例と同じである。
【００１９】
図７に示すのは、キャビネット２０のコーナー部に備えた伸縮自在の支持体３１ｂにテーブル３０を枢支した実施例の他の例である。この例では、仕切り２１の片側に支持体３１ｂ（例えばスライドレール）を奥行き方向に取り付け、支持体３１ｂの先端部にテーブル３０を枢軸３１で枢支し、引き出した状態のテーブル３０をキャビネット２０から３００〜３５０ｍｍ程度離れた位置に設置でき、引き出した状態のテーブル３０をより使い易い位置及び向きに変更できるようにしている（ケーブル類の図示は省略している）。その他、符号、構成は実施例と同じである。
【００２０】
図８に示すのは、脚部材３２をＬ字形とし、ケーブルダクト３５をテーブル３０の下方に取付具３５ａで吊下した実施例の他の例である。この例ではコンピュータ５０をテーブル３０上に設置し、吊下したケーブルダクト３５にケーブル類を配線している（ケーブル類の図示は省略している）。なお、本実施例ではコンピュータ５０としてデスクトップ型を示したが、本体とディスプレイ装置が一体となったノート型コンピュータを設置する場合もある。その他、符号、構成は実施例と同じである。
【産業上の利用可能性】
【００２１】
本考案の手術室用収納式テーブルは、医療施設の手術室に設けられる。
【図面の簡単な説明】
【００２２】
【図１】実施例の手術室の平面図である。
【図２】実施例のテーブルを収納した状態のキャビネットの正面図である。
【図３】実施例のテーブルを引き出した状態のキャビネットの横断面図である。
【図４】実施例のテーブルを収納した状態のキャビネットの縦断面図である。
【図５】実施例のテーブルの縦断面図である。
【図６】実施例の他の例のテーブルを引き出した状態のキャビネットの横断面図である。
【図７】実施例の他の例のテーブルを引き出した状態のキャビネットの横断面図である。
【図８】実施例の他の例のテーブルを収納した状態のキャビネットの正面図である。
【符号の説明】
【００２３】
１０  手術室
１１  出入口
１２  壁
２０  キャビネット
２１  仕切り
２２  上部空間
２３  下部空間
２４  電源コンセント
２５  モジュラージャック（情報通信用端子）
３０  テーブル
３１  枢軸
３１ａ  軸受
３１ｂ  支持体
３２  脚部材
３２ａ  枢軸
３３  車輪
３４  ペン受け
３５  ケーブルダクト
３５ａ  取付具
３６  カバー
３７  椅子
４０  情報パネル
５０  コンピュータ
５１  ディスプレイ装置
５１ａ  電源ケーブル
５１ｂ  通信ケーブル
５１ｃ  ディスプレイケーブル
５２  キーボード
５２ａ  ケーブル
５３  マウス
５３ａ  ケーブル
６０  手術台
Ｈ  看護師
【図１】
0003144226.tif 000003
【図２】
0003144226.tif 000004
【図３】
0003144226.tif 000005
【図４】
0003144226.tif 000006
【図５】
0003144226.tif 000007
【図６】
0003144226.tif 000008
【図７】
0003144226.tif 000009
【図８】
0003144226.tif 000010